(57)【特許請求の範囲】
【請求項１】
剥離紙が破けない程度に刃の少なくとも一部の切刃を微小に潰した鋭い刃先角度を持った円弧状の刃で、刃先を剥離紙表面の端近傍に引っ掛け角度に接し、切刃の方向に刃をゆっくり押すことで剥離紙の少なくとも一部を滑らせ剥離する、粘着テープなどの剥離紙の剥離方法。
【請求項２】
刃の少なくとも一部の切刃を微小に潰した鋭い刃先角度を持った円弧状の刃をホルダーに取り付けた請求項１に記載の剥離方法に使用する粘着テープなどの剥離紙の剥離工具。
【発明の詳細な説明】
【技術分野】
【０００１】
本発明は、粘着テープなどの剥離紙を剥離する工具と方法に関するものである。
【背景技術】
【０００２】
粘着テープは、便利さと粘着材の進歩と低価格化と多様化で、社会の色々なシーンで多用されるようになっている。
【０００３】
基材が丈夫な粘着テープ、例えば包装用テープや絶縁ビニルテープやセロファンテープなどは、粘着面を基材の背面に直接貼り付けて巻物にしている。
一方、基材が弱い粘着テープ、薄い粘着テープ、両面が粘着面となっている両面テープ、重ね貼りの粘着強度が高い必要のある粘着テープ、型抜きした粘着シートなどは、剥離紙または剥離フィルムを粘着面に重ねたものが一般的である。剥離フィルムを保護フィルムという場合もある。
以後この書類では、剥離紙と剥離フィルムと保護フィルムなどを総称して剥離紙と記載する。粘着テープと粘着フィルムなどを総称して粘着テープと記載する。
【０００４】
剥離紙のついた粘着テープは、使用時には剥離紙を剥がすことが必要である。この作業が結構な手間であることから、色々な工夫が行われてきた。
B65H37/00*3F108JA00の中の関連テーマで権利化された代表的な特許と実用新案文献が特許文献１〜４である。
これらに共通していることは、剥離紙は切断しないで巻き取るなどし、粘着テープを被貼付物に転写する装置ということである。このことは、粘着テープと剥離紙を一緒に切断して貼り付けると、剥離紙の取り外しが面倒であるということに他ならない。
連続したテープではなく、独立した粘着フィルムを貼り付ける装置は、特許文献５にその例がある。この場合は、「保護フィルムに強粘着の剥離テープを貼着して、保護フィルムを粘着フィルムからめくりとる保護フィルム剥離機構」を設けている。ここでも、剥離紙の取り外しが面倒であるということが顕著となる。
【０００５】
以上は工場などでの生産の合理化のための装置に類するものであって、粘着テープなどを時々使用する一般向けの工具に関する考案ではない。
一般家庭、事務所、小規模企業や部署、工事現場などにおいては、粘着テープは手作業で張られる場合がほとんどである。この場合、粘着テープと剥離紙は一緒に鋏などで切断し、手で貼り付けた後に、剥離紙を手作業で取り除く。剥離紙を一緒に貼り付けるのは、粘着テープ同士の誤粘着の防止、周辺への誤粘着の防止、汚れの防止、皺の防止など、作業を容易にするために必用なことである。配管現場でダクトへ粘着アルミテープを巻きつける場合も、剥離紙は端を剥いて、巻きつけながら順次剥がして行くのが普通である。
【０００６】
この剥離紙を剥ぐという作業が結構手間のかかるもので、被貼付物を曲げて剥離紙の腰で剥離紙のみを浮かせたり、爪で擦ったり、カッターでほじくる、などする。下手をすると、貼り付けた粘着テープが剥がれて互いにくっついてダマになり、新しいテープを貼り直すことにもなる。これは、被貼付物が紙などの場合は破れや剥がれの原因ともなる。工事現場などでは、手袋を都度外したり、テープが汚れたりで、作業にも支障が多い。
このような場合の道具として、特許文献６〜８の考案が公開されている。
特許文献６の方法では、粘着テープと剥離紙の間にヘラを刺しこみ、浮いた剥離紙をペーパーグリップで保持する。粘着テープと剥離紙の間にヘラを刺しこむことが難しいのであり、ペーパーグリップで保持する点を強調した考案に他ならず、剥離にはあまり適切な道具ではない。
特許文献７は剥離紙のみにスリットを入れる道具で、スリット部から剥がすのは比較的容易という発想のものであるが、貼り付ける前にスリット入れ作業が必要で面倒であり、また、剥離紙が１枚の両面テープは裏の粘着面が露出しているために、用具に差し込むことが出来ないので、普通の両面テープには使用できない。
特許文献７は剥離紙の分離に使用できるが、針であるために微小にしか刺すことが出来ず、引掛けが小さくて分離力が弱いので、テープの端から略２ｍｍ以内に刺さなければ有効でない。使用方法によっては粘着テープやひどい場合は被貼付物に穴や引っかき傷をあけることもある。
最近は剥離紙を固めのフィルムとした両面テープも売り出されている。剥離紙の曲げ剛性を高めて、粘着テープとの分離をし易くするためと思われるが、粘着テープが薄くて被貼付物が固い平面の場合は従来のものと大差はなく、爪やカッターでほじくる必用があり、前記の問題点は解消してはいない。
【０００７】
発明者は、使いやすく確実な剥離工具を考案しようと、色々な方法を試してみた。
ゴム吸盤で吸い付ける方法は全く効果が無かった。
強い粘着材で貼り付けて剥こうとしたが全く効果が無かった。
最近売り出されている吸着シートも全く効果が無かった。
手動ピストンで圧縮空気を送ってみたが、色々な試みをしても効果はなかった。
手動ピストンで吸引を試みたが全く効果が無かった。
【０００８】
試みた色々な方法の中で、特殊な刃を用いた方法は実用性があるようであった。
特殊な形状の切刃をホルダーの端に装着した工具で、粘着テープの端から５mm,位の許容範囲の中で剥離紙側から切り込ませ、回転と移動の動作をすることで、剥離紙のみに刃部を深く食い込ませ、切刃のないスクイ面で持ち上げることにより、剥離紙のみを粘着テープから剥がすことを特徴とする。
図１で形状と動作を説明する。試みた切刃１０は厚さ０．５ｍｍ長さ５ｍｍ前後の小さなもので、半径１０ｍｍ程度の円弧状の刃１１を持っている。円弧の端から５０度前後のスクイ角のスクイ面１２があり、このスクイ面には切刃はない。スクイ面の長さは略３ｍｍである。この円弧の端を切っ先１３と称する。切っ先１３はホルダー１５のほぼ中心に位置し、刃部の円弧の中心１４はホルダー１５のほぼ中心に位置している。ホルダー１５は長さ１００ｍｍ程度あれば良い。
ホルダー１５を親指と残りの２〜４本の指ではさむ。この時、切っ先１３を親指側とする。親指の方向にホルダー１５を１０度〜２０度程度傾けて、剥離紙１６の端から略５ｍｍ以内の位置に切っ先１３を切り込む。
対向する指で親指を中心にホルダー１５を軽く回転するようにすくうと、親指は反力で逆側に移動するが、この時切っ先１３には剥離紙１６に入り込むような力と、円弧状の切刃１１が剥離紙１６を切断する動作と切っ先１３が上昇する動作が生じ、切っ先１３のスクイ面１２が剥離紙１６を持ち上げながら、切っ先１３は剥離紙１６の裏に深く挿入される。
この時点で剥離紙１６は粘着テープ１７から浮き上がった状態となっている。そのままホルダー１５を持ち上げると、剥離紙１６はスクイ面１２にすくわれたままで完全に剥離される。  
両面テープの被貼付物が薄紙のような場合や、配管のシールに使用するアルミテープのような場合は、剥離力に負けて被貼付物やテープ本体が座屈を起こす場合がある。このような時は、被貼付物やテープ本体を軽く屈曲させて腰を作り、その腰のついた部分で同様の動作を行うと、剥離紙のみが剥離できる。
【０００９】
しかし、この方法には欠点がある。
一つは、粘着テープや場合によっては被貼付物に切り傷をつける。
一つは、使い方にコツが必用である。
一つは、稀に切っ先で剥離紙が破れてしくじる場合がある。
発明者の意図する、使いやすさ・確実さ・意匠的に展開できる簡単な構造、という目標からすると、この方法は前２つの目標で不満足と結論付けた。
【先行技術文献】
【特許文献】
【００１０】
【特許文献１】特許第３５６１８５０号公報
【特許文献２】実用登録第２５３３００８号公報
【特許文献３】特許第３１６４６５５号公報
【特許文献４】実用登録第２５５１７４３号公報
【特許文献５】特許第３２９０７１０号公報
【特許文献６】実開昭６０−１０３１６３号公報
【特許文献７】特開平７−８９６６４号公報
【特許文献８】特開２０１１−１２１３４９号公報
【発明の概要】
【発明が解決しようとする課題】
【００１１】
本発明が解決しようとする課題は、被貼付物に剥離紙ごと貼り付けた粘着テープ、例えば両面テープの剥離紙を簡便に剥がす工具を提供することである。
また、被貼付物に貼り付ける前の粘着テープ、例えば配管のシールに使うアルミテープなどの剥離紙の端を簡便に剥がす工具を提供することである。
【課題を解決するための手段】
【００１２】
本発明は、特殊な形状の刃を剥離紙の端から略５ｍｍ以内の位置に所定の角度で押し当て、ゆっくりと移動することにより、剥離紙のみに座屈を起こして粘着テープから剥離紙を浮かせる工具である。
図２は、本発明に使用する刃２０の説明図である。厚さが略０．５ｍｍ、半径が略４０ｍｍの円弧状の刃で、刃面２７は略１０度の鋭い角度２５を有する、刃先２６は剃刀のような切刃の先端を微小に潰したものである。
図５のように、この刃２０を略３０度の角度で剥離紙１６に接する。この角度を守りやすくするホルダーの形状例を図３に示す。図３のホルダー３０では握り部分を粘着テープ１７に略平行に把持する。刃２０を剥離紙１６と平行に移動すると、極薄の刃先２６には剥離紙に食い込むような力が働く。極薄の刃先２６は剥離紙に微小な凹みを作り、刃先２６は凹みにひっかかる状態となる。そのままゆっくりと移動すると、剥離紙１６の端５２は粘着テープ１７上を滑り、剥離紙１６には刃２０の直前に座屈部分５３ができて盛り上がる。
盛り上がった剥離紙１６を把持して持ち上げれば、剥離紙１６を粘着テープ１７から完全に剥がすことができる。
【００１３】
紙などの薄くて軟い被貼付物の場合や、アルミテープなどのように裏面が張り付いていない状態の場合は、貼付物本体や粘着テープ本体がが剥離紙と一緒に座屈を起こしてしまう。このような時は、図６のように、刃２０に指６２を軽く沿わせることで、本体６１の座屈を防止して、剥離紙１６のみを座屈させることが出来る。
剥離紙１６の座屈部分５３は指６２と刃２０の間にはさまっており、指６２を沿わせたまま刃２０を持ち上げることで剥離紙１６全体を剥がすことができて便利であるので、この方法は固い被貼付物などの場合にも適用すると良い。
【発明の効果】
【００１４】
本発明の剥離工具は、簡単な構造と使い方により、実用的で廉価な意匠的工具である。
刃をテープに載せて微動する動作だけで剥離紙を剥がすことができる。
ホルダーなどを刃の適正姿勢が分かる形状とすると、剥離紙を引っ掛ける刃の角度を略一定とすることが出来て、作用が確実である。
剥離紙の表面だけを引っ掛けるので、粘着テープと被貼付物に損傷を与えない。
作用させる位置も、テープの端から略５ｍｍ以内というラフな範囲であり、気遣いも少ない。
簡単な構造なので、色々な向きで使うことが出来る。
簡単な構造であり、刃先の近くに覗き穴を設けると、手隠れとなる部分はほとんど無い。
円弧状の刃なので、刃をあてる時に厳密な姿勢を必要としないので使いやすい。
円弧状の刃なので、刃の角が剥離紙を破ることがない。
円弧状の刃なので、剥離紙の一部に応力が滑らかに集中し、小さな力で剥離させることができる。
極めて鋭い角度の刃は先端が微小に潰してあるので、安全である。
極めて鋭い角度の刃は先端が微小に潰してあるので、寿命が長い。
薄紙に貼り付けた両面粘着テープや単独のアルミテープのように本体が座屈を起こしやすい場合でも、指を添えるだけで被貼付物本体や粘着テープ本体の座屈を防いで、剥離紙のみを剥ぐことができる。
小型の道具に出来るので、保管や携帯に便利である。
工事現場でも携帯し、手袋をつけたままでも使用することができる。
この剥離原理は機械装置にも応用できる。
【図面の簡単な説明】
【００１５】
【図１】図１は本発明の前に試みた剥離工具の説明図である。
【図２】図２は本発明の、刃の形状の説明図である。（ａ）は正面図、（ｂ）は中央断面図。
【図３】図３は本発明の、ホルダーの一例の説明図である。
【図４】図４は本発明の、姿勢の目安の部材を持つ他の一例の説明図である。
【図５】図５は本発明の、使用状態の説明図である。
【図６】図６は本発明の、使用状態の説明図である。
【発明を実施するための形態】
【００１６】
粘着テープの剥離紙を剥がすという目的を、３点の部品点数で実現した。
【実施例１】
【００１７】
図２の刃２０は、厚さ０．５ｍｍのカッター刃をグラインダーで削って作製した。巾２１は１４ｍｍ、刃先２２は略円弧形状で、半径は略４０ｍｍとした。全長は４０ｍｍとした。刃先２２近傍には直径５ｍｍの穴２３があいて覗き窓となっている。ホルダーにねじ止めするために、巾３ｍｍ長さ２２ｍｍの溝２４をサンダーで加工した。刃２０は片刃で、刃先角度２５は略７度とし、グラインダーで研いだ後、仕上砥石で鏡面状に研ぎ澄ました。切れ味は、庖丁の切れ味を試すときのように、空中の新聞紙が引き切りできる程鋭い。この刃先を細かいダイヤモンドヤスリで１回だけ軽く舐めた。この時の刃先２６の厚さは０．００５〜０．０１ｍｍとなる。この刃先厚さでも、軽くあてた程度や軽く引く程度では手指を切ることは無くなる。
【００１８】
図３のホルダー３０は、硬質塩ビの板から作成した。厚さ５ｍｍ、巾１４ｍｍ、長さ１５０ｍｍの短冊状のものを５０ｍｍの位置で１４３度に曲げた。刃の付く側の端面３１は４ｍｍの面取りをし、１０ｍｍと２０ｍｍの位置にＭ３のタップを立てた。握り部分３２は滑らかに丸めて持ちやすくした。
刃の研ぎ側２７を下にして、刃２０をホルダー３０にＭ３のナベ小ねじ３３で固定した。図５のようにホルダー３０の握り３２を粘着テープ１７と略平行に置くと、下の刃面２７と剥離紙１６の角度は略３０度となる。
【００１９】
図５のように、被貼付物５４に貼り付けた剥離紙付粘着テープ１７の端５１から略５ｍｍの位置に刃先２６を置き（図５（ａ））、ホルダーの握り３２を粘着テープ１７と略平行とする。そのまま図５の左方向にゆっくりと押すと、剥離紙１６の端５２は粘着テープ１７の上を滑り、刃２０の前方に剥離紙１６の座屈部分５３が盛り上がる（図５（ｂ））。
刃の移動速度は５ｍｍ／秒程度である。粘着材は非常に粘性の高い液体のようなものであるので、移動速度を小さくすると粘性抵抗も小さくなる。粘性抵抗が小さいと粘着テープにかかる力は小さくなり、粘着テープ１７は被貼付物５４に張り付いて不動のままで、剥離紙１６のみを滑らせることができる。
剥離紙１６の座屈で浮いた部分５３は簡単に把持できるので、把持して持ち上げることで剥離紙１６を粘着テープ１７から完全に剥がすことができる。
薄い両面テープでも厚みのある両面テープでも上手く作用した。
【００２０】
剥離紙付粘着アルミテープでは、図６のように、刃２０の先端に左手の人差し指６２を軽くあてて、同様の動作を行った。アルミテープ本体６１は座屈することなく、剥離紙１６を上手く剥がすことができた。
上質紙のメモ用紙に薄い両面テープを貼ったものでも、指を添えることで、剥離紙を上手く剥がすことができた。  
【００２１】
実施例１では、刃の厚さや巾を具体的に記したが、厚さや巾はこれに限るものではない。巾が広くても機能に支障はないが、目視や作業で邪魔な部分が増えるので程々が良い。巾が狭すぎると剥離紙を破る率が多くなる。
刃先は略円弧と記したが、円弧に限るものではなく、滑らかであれば、楕円などの他の曲線でも差し支えない。このような刃のカーブをこの書類では「円弧状」と表現する。
刃先の円弧の半径は略４０ｍｍと記したが、この径に限るものではない。大きい半径でも可であるが、同じ刃巾で比較すると、剥離紙に接する時のローテーション方向の許容角度が小さくなる。刃巾が６ｍｍで半径１３ｍｍの刃も試したが、巾が狭くて半径が小さくなると剥離紙に刺さりやすくなる。
実施例１に記載したのは、刃先の角度を略７度で試作したものであるが、略５度、略１０度、略１７度なども試作した。何れの角度でも機能するが、７度から１０度程度が使い良い。刃先の薄さが有効であるので、あまり大きな角度は好ましくはない。
刃２０は片刃で説明したが、両刃としても差し支えない。
刃先下面と粘着テープの角度を略３０度と記したが、３０度に限るものではない。角度が小さすぎると食い込みが悪くなり上から押すことが必要になり、スリップして剥離紙を削ることもある。大きすぎると食い込み力が大きくなり使い難い。３０度前後、２０〜４０度あたりが好ましい。このような角度を本書類では「引っ掛け角度」と表現する。
鋭利な刃先を作ってからヤスリで刃先を潰したと記したが、このような作成方法に限るものではない。回転砥石でのフォーミング段階で所定の刃先厚さを残すように研磨しても良い。このような状態を本書類では「切刃を微小に潰す」と表現する。
切刃を微小に潰すのは全体である必用はない。剥離紙に最初に接する部分の周辺以外は切刃のままでも差し支えない。
テープの端から略５ｍｍと記したが、テープの種類によってはさらに大きな寸法をとることもできる。
刃の移動速度の目安を数値で記したが、適正最高速はテープの種類や被貼付物の種類により変化するものであり、ここの数値に限るものではない。
剥離紙が座屈すると記したが、剥離紙が微小の場合は座屈しないで全体が剥がれることもある。
ホルダーは「く」の字型の押し使いとして説明したが、この形に限るものではない。「レ」の字形で引き使いとしても良いし、握り部分を垂直にするような形状もある。単純に棒状のホルダーとしても慣れれば使用できる。握り部分を姿勢の目安としなくても、図４のように、刃の上端を所定角度に曲げるなど、姿勢を示すケージとなる部位４１が付属していても良い。刃に図４のような部位をつけると、刃を裏返しに取り付けるミスも避けられる。なお、このような目安とする部位は刃につけるだけには限らない。
ホルダーは一体のものとして説明したが、屈曲部から折り曲げられるようにすると、収納や携帯に便利であり、刃の保護にもなる。
ホルダーは固い材料で作成したが、バネ性のある材料としても良いし、バネ機構を組み込んでも良い。
刃をホルダーにネジ止めしたが、他の固定方法でも差し支えない。
実施例１は手動工具として説明したが、この方法は機械装置の一部としても使用できる。
刃先と１ｍｍ程度の間隙を持つグリップ部材を刃先近傍に取り付けると、剥離紙の座屈部分が刃とグリップの間に挟まれ、剥離紙をグリップしたまま持ち上げることもできる。
【００２２】
このように、刃先を微小に潰した円弧状薄刃としたので、使用する時の姿勢はラフで済み、粘着テープ本体や被貼付物を傷めることなく、剥離紙は破けることなく、剥離紙のみを滑らせて座屈させ、剥離紙を粘着テープから剥がすことができる。簡単な構造なので使用する向きも自由であり、テープにあてる位置もラフで、刃は手指を傷つけることなく安全で使いやすく、保管や携帯にも便利である。シンプルな構造で意匠的な商品とすることができる。被貼付物に貼り付けた両面テープなどだけでなく、独立したアルミテープやシールなどの剥離紙を剥がす用途にも使用できる。
【産業上の利用可能性】
【００２３】
剥離紙が密着一体化した粘着テープや粘着シートから剥離紙のみを剥がすことができ、手動工具とすることによって、粘着テープや粘着シートを使用する一般家庭、事務所、小規模企業や部署、工事現場など、多方面の用途にも適用できる。
機能ユニットとして機械装置に組み込むことにより、剥離紙を予め除去した粘着テープを転写する方法以外にも装置設計の自由度が広まり、独立した粘着シートを貼り付けてから剥がす装置に於いても、より安価なエコな方法として採用することができる。
【符号の説明】
【００２４】
１０  切刃
１１  刃
１２  スクイ面
１３  切っ先
１４  刃部の円弧の中心
１５  ホルダー
１６  剥離紙
１７  粘着テープ
１８  作業台    
２０  刃
２１  巾
２２  刃先
２３  穴
２４  溝
２５  刃先角度
２６  刃先
２７  刃面
３０  ホルダー
３１  端面
３２  握り
３３  ねじ
４１  ゲージ部位
５１  テープの端
５２  剥離紙の端
５３  座屈部分
５４  被貼付物
６１  アルミテープ
６２  人差し指      
【図１】
0005624010.tif 000002
【図２】
0005624010.tif 000003
【図３】
0005624010.tif 000004
【図４】
0005624010.tif 000005
【図５】
0005624010.tif 000006
【図６】
0005624010.tif 000007